(57)【要約】【課題】  木造住宅における外壁に、暖冷気の防止、結露の防止、優れた耐候性、断熱等が抜群である断熱構造を持つ空洞を形成すると共に、ほぞ継ぎ工法による嵌合わせにより組立てが容易な外壁単板を提供するものである。【解決手段】  本発明の外壁単板は、コンクリートと樹脂混合の不燃材料から一体形成された所定幅、高さ、厚さの細長幅部材からなり、前記細長幅部材の上部に幅方向に沿って切欠き段部を形成して係合凹部１とし、さらに前記細長幅部材の上端部幅方向に等間隔に、上端部より突出した細幅短冊状のほぞ仕切片２と、該ほぞ仕切片２とほぞ仕切片２と間にほぞ仕切片厚さ溝の上端部から下端部に貫通する空洞部３を形成してなるものである。【選択図】  図５
2005330682.tif 000002
【特許請求の範囲】
【請求項１】
コンクリートと樹脂混合の不燃材料から一体形成された所定幅、高さ、厚さの細長幅部材からなり、前記細長幅部材の上部に幅方向に沿って切欠き段部を形成して係合凹部とし、さらに前記細長幅部材の上端部幅方向に等間隔に、上端部より突出した細幅短冊状のほぞ仕切片と、該ほぞ仕切片とほぞ仕切片と間にほぞ仕切片厚さ溝の上端部から下端部に貫通する空洞部を形成してなることを特徴とする外壁単板。
【請求項２】
出すみ板は、コンクリートと樹脂混合の不燃材料から一体形成された断面Ｌ字形状をなし、前記外壁単板と同様に嵌合構造として、上端部に係合段部を有し、下端も前記外壁単板と同様に嵌合構造にし、さらに前記裏面側にスペーサを縦方向にＬ字形状両端側を塞ぐように設け、中間には空洞部を形成し、前記外壁単板と組み合わせて使用することを特徴とする請求項１記載の外壁単板。
【発明の詳細な説明】
【技術分野】
【０００１】
本発明は、木造住宅における外壁に断熱構造を持つ空洞を形成すると共に、組立てが容易な外壁単板に関する。
【背景技術】
【０００２】
近年、建築外壁は、自然の通気を無視した、通気の遮断、気密性のみを重点とした建築施工である。
多雨多湿の日本の風土に適した暖冷気の防止には、旧来の木造建築では自然と一体とした建築工法により数百年経ても堅固な建造物が存在している。
そこで、古来より伝授された建築工法の応用により、今日の外壁材の欠陥を補修する必要がある。
最近では、住宅の外壁を断熱するのに、ＡＬＣパネル（コンクリート版）とフェノール樹脂発泡体からなる断熱板との間にスペーサを配置して空気層を確保することが知られている（特許文献１を参照）。
【０００３】
【特許文献１】特開２００３−９６９４０号公報
【発明の開示】
【発明が解決しようとする課題】
【０００４】
本発明は、
【課題を解決するための手段】
【０００５】
本発明の外壁単板は、コンクリートと樹脂混合の不燃材料から一体形成された所定幅、高さ、厚さの細長幅部材からなり、前記細長幅部材の上部に幅方向に沿って切欠き段部を形成して係合凹部とし、さらに前記細長幅部材の上端部幅方向に等間隔に、上端部より突出した細幅短冊状のほぞ仕切片と、該ほぞ仕切片とほぞ仕切片と間にほぞ仕切片厚さ溝の上端部から下端部に貫通する空洞部を形成してなるものである。
また、出すみ板は、コンクリートと樹脂混合の不燃材料から一体形成された断面Ｌ字形状をなし、前記外壁単板と同様に嵌合構造として、上端部に係合段部を有し、下端も前記外壁単板と同様に嵌合構造にし、さらに前記裏面側にスペーサを縦方向にＬ字形状両端側を塞ぐように設け、中間に空洞部を形成し、前記外壁単板と組み合わせて使用するものである。
【発明の効果】
【０００６】
本発明の外壁単板によれば、外壁単板部材に空洞部を設けたことにより暖冷気の伝導や騒音を遮断できる効果がある。
外壁単板部材の空孔により暖冷気が通気構造による空洞効果によって軒天へ排出され、結露の発生を防止し、空洞部内の乾燥が保持される。
さらに、固定用ネジ釘は、積層された外壁単板部材の係合凸部により外部より遮蔽された状態で、屋内側の縦桟又は横桟に固定されているので、錆を生じることはない。
外壁単板部材は、ほぞ継ぎの二重構造により、施工時における撓み、反りに対して押えることができ、ほぞの両端及び中央のほぞは施工時の加工調整に適合し、５ヶ所のほぞ嵌合わせによって頑丈であり、雨水の浸潤は完全に防止することができる。
外壁単板部材は、外壁の破損等による雨水の浸入に対しては空洞部のドレン効果によって防止が可能である。
【発明を実施するための最良の形態】
【０００７】
本発明の外壁単板は、コンクリートと樹脂混合の不燃材料から一体形成された所定幅、高さ、厚さの細長幅部材からなり、前記細長幅部材の上部に幅方向に沿って切欠き段部を形成して係合凹部とし、さらに前記細長幅部材の上端部幅方向に等間隔に、上端部より突出した細幅短冊状のほぞ仕切片と、該ほぞ仕切片とほぞ仕切片と間にほぞ仕切片厚さ溝の上端部から下端部に貫通する空洞部を形成してなるものである。
また、出すみ板は、コンクリートと樹脂混合の不燃材料から一体形成された断面Ｌ字形状をなし、上端部に係合段部を有し、前記外壁単板と同様に積層構造として、下端も前記外壁単板と同様に嵌合構造にし、さらに前記裏面側にスペーサを縦方向にＬ字形状両端側を塞ぐように設け、中間に空洞部を形成するものである。
【実施例】
【０００８】
以下、本発明の一実施例を図面に基づいて説明する。
本発明の外壁単板は、３種類の最下単板Ａ、中間単板Ｂ、最上単板Ｃの単板ユニットからなる。
前記最下単板Ａは、図１(a)平面図、図１(b)正面図、図１(c)底面図、図１(d)側面図に示すように、コンクリートと樹脂混合の不燃材料から一体形成された所定幅、高さ、厚さの細長幅部材からなり、前記細長幅部材の上部に幅方向に沿って切欠き段部を形成して係合凹部１とし、さらに前記細長幅部材の上端部幅方向に等間隔に、上端部より突出した細幅短冊状のほぞ仕切片２と、該ほぞ仕切片２とほぞ仕切片２と間にほぞ仕切片厚さ溝の上端部から下端部に貫通する空洞部３を形成してなる。
さらに、図１(c)底面図に示すように、前記細長幅部材の下端部の前記空洞部３の開口には、防虫のために網目状のメッシュ４を張る。
【０００９】
前記中間単板Ｂは、図２(a)平面図、図２(b)正面図、図２(c)底面図、図２(d)側面図に示すように、コンクリートと樹脂混合の不燃材料から一体形成された所定幅、高さ、厚さの細長幅部材からなり、上端部は前記最下単板Ａと同様に、前記係合凹部１、ほぞ仕切片２と空洞部３を有し、さらに図２(d)側面図に示すように、前記中間単板Ｂの下端部にほぞ仕切片２により形成された凸部が嵌合する凹状のほぞ溝５が形成され、表面側には前記細長幅部材の前記係合凹部１に嵌合する係合凸部６を設ける。
【００１０】
前記最上単板Ｃは、図３(a)平面図、図３(b)正面図、図３(c)底面図、図３(d)側面図に示すように、コンクリートと樹脂混合の不燃材料から一体形成された所定幅、高さ、厚さの細長幅部材からなり、前記細長幅部材の上部に幅方向に沿って切欠き段部を形成して係合凹部１とし、さらに前記細長幅部材に等間隔に細幅短冊状のほぞ仕切片２と、該ほぞ仕切片２とほぞ仕切片２と間にほぞ仕切片厚さ溝の、上端部から下端部に貫通する空洞部３を形成する。
さらに、図３(a)平面図に示すように、前記細長幅部材の上端部の前記空洞部３の開口には、防虫のために網目状のメッシュ４を張る。
【００１１】
このように、３種類の最下単板Ａ、中間単板Ｂ、最上単板Ｃの単板ユニットからなる外壁単板は、図４に示すように、係合凹部１と係合凸部６とを嵌合させて簡単に外壁を形成することができる。
したがって、木造住宅の外壁単板は、図４に示すように、縦４５．５cm×横１８２．０cmの細長幅部材から形成されている場合は、土台と梁との間に４枚の外壁単板が上下に係合凹部１と係合凸部６、ほぞ仕切片２とほぞ溝５とを嵌合させることによってほぞ嵌合で積重ね形成することができる。
【００１２】
また、図５に示すように、出すみ板Ｄはコンクリートと樹脂混合の不燃材料から一体形成された断面Ｌ字形状をなし、上端部に係合段部７を有し、前記外壁単板と同様に積層構造として、下端も前記外壁単板と同様に嵌合構造にし、さらに前記裏面側にスペーサ８を縦方向にＬ字形状両端側を塞ぐように設け、中間には空洞部３を形成する。
【００１３】
次に、本発明の外壁単板の組立てについて、以下に図面に基づいて説明する。
図５に示すように、柱Ｅと柱Ｅの間に住宅外壁が形成されるので、柱Ｅにも通気構造を形成するために出すみ板Ｄを用いる。
前記柱Ｅは、前記出すみ板ＤのＬ字形状角部に形成された空洞部３により上下方向の通気が可能となる。
このようにして、図５に示す出すみ板Ｄを柱Ｅの隅角部に当接し、さらにその上に次の出すみ板Ｄを矢印で示すように係合段部７に嵌合させる。
さらに、前記出すみ板Ｄには、中間単板Ｂの側面を当接させて、さらに係合凹部１のほぞ仕切片２の５個所にネジ釘９を打ち、屋内側の縦桟又は横桟にネジ釘９で固定する。
そして、ネジ釘９で固定された中間単板Ｂの上に、次の中間単板Ｂを矢印で示すように係合凹部１に係合凸部６を嵌合させる。
なお、前記出すみ板Ｄも同様に、スペーサ８の２個所にネジ釘９を打ち、ネジ釘９により出すみ板Ｄを柱Ｅに固定することができる。
また、前述の外壁単板や出すみ板において、前記ネジ釘９を打ち付ける個所にはあらかじめネジ釘９の頭が嵌まり込む円錐形状の凹部を形成しておけば良い。
【００１４】
このようにして積層形成された外壁には、縦方向に空洞部３を有するので、暖冷気が通気構造による空洞効果によって軒天へ排出され、結露の発生を防止し、空洞内の乾燥が保持される。
また、同様に、柱Ｅにも縦方向に空洞部３を有するので、暖冷気が通気構造による空洞効果によって軒天へ排出され、結露の発生を防止し、空洞部３内の乾燥が保持される。
さらに、ネジ釘９は、前記係合凸部６により外部より遮蔽された状態で、屋内側の縦桟又は横桟に固定されているので、錆を生じることはない。
また、前記空洞部３の上下端の開口は、メッシュ４により閉鎖されているので、害虫等が入り込むことがない。
【図面の簡単な説明】
【００１５】
【図１】本発明の最上単板Ａの(a)平面図、(b)正面図、(c)底面図、(d)側面図である。
【図２】本発明の中間単板Ｂの(a)平面図、(b)正面図、(c)底面図、(d)側面図である。
【図３】本発明の最下単板Ｃの(a)平面図、(b)正面図、(c)底面図、(d)側面図である。
【図４】本発明の外壁単板の外壁構造図である。
【図５】本発明の外壁単板の外壁組立てを説明する斜視図である。
【符号の説明】
【００１６】
１  係合凹部
２  ほぞ仕切潟
３  空洞部
４  メッシュ
５  ほぞ溝
６  係合凸部
７  係合段部
８  スペーサ
９  ネジ釘
【図１】
2005330682.tif 000003
【図２】
2005330682.tif 000004
【図３】
2005330682.tif 000005
【図４】
2005330682.tif 000006
【図５】
2005330682.tif 000007